(57)【要約】      （修正有）【課題】耐光性に優れ、特にインクジェット記録に好適な色素、該色素を含有するインク組成物、該インク組成物を用いる記録方法、及び、該色素又はインク組成物により着色された着色体を提供する。【解決手段】下記式（１）で表される色素又はその塩、若しくはそれらの混合物。2014172912.tif 000019［式（１）中、Ｒはイオン性親水性基を有してもよいアルキル基、アリールアルキル基、又はアリール基を表す。］【選択図】なし【特許請求の範囲】
【請求項１】
下記式（１）で表される色素又はその塩、若しくはそれらの混合物。
【化１】
2014172912.tif 000018
（式（１）中、Ｒはイオン性親水性基を有してもよいアルキル基、アリールアルキル基、又はアリール基を表す。）
【請求項２】
上記式（１）におけるＲが、アルキル基又はアリール基である請求項１に記載の色素又はその塩、若しくはそれらの混合物。
【請求項３】
上記式（１）におけるＲが、少なくとも1つのイオン性親水性基を有するアルキル基又はアリール基である請求項２に記載の色素又はその塩、若しくはそれらの混合物。
【請求項４】
請求項１乃至３のいずれか一項に記載の式（１）で表わされる色素又はその塩、若しくはそれらの混合物、及び水を含有するインク組成物。
【請求項５】
水溶性有機溶剤をさらに含有する請求項４に記載のインク組成物。
【請求項６】
上記式（１）で表わされる色素又はその塩、若しくはそれらの混合物の総質量中に含有される無機不純物の含有量が、該色素又はその塩、若しくはそれらの混合物の総質量に対して、１質量％以下である請求項４又は請求項５に記載のインク組成物。
【請求項７】
上記式（１）で表わされる色素又はその塩、若しくはそれらの混合物の含有量が、インク組成物の総質量に対して０．１〜２０質量％である請求項４乃至６のいずれか一項に記載のインク組成物。
【請求項８】
インクジェット記録に用いる請求項４乃至７のいずれか一項に記載のインク組成物。
【請求項９】
請求項８に記載のインク組成物の液滴を記録信号に応じて吐出させ、被記録材に付着させることにより記録を行うインクジェット記録方法。
【請求項１０】
被記録材が情報伝達用シートである請求項９に記載のインクジェット記録方法。
【請求項１１】
情報伝達用シートが普通紙であるか、又は多孔性白色無機物を含有したインク受容層を有するシートである、請求項１０に記載のインクジェット記録方法。
【請求項１２】
請求項１乃至３のいずれか一項に記載の色素又はその塩、若しくはそれらの混合物により着色された着色体。
【請求項１３】
請求項４乃至８のいずれか一項に記載のインク組成物により着色された着色体。
【請求項１４】
請求項９乃至１１のいずれか一項に記載のインクジェット記録方法により着色された着色体。
【請求項１５】
請求項８に記載のインク組成物を含有する容器が装填されたインクジェットプリンタ。
【発明の詳細な説明】
【技術分野】
【０００１】
本発明は色素、及び該色素を含有する着色組成物、及びこれらにより着色された着色体に関する。
【背景技術】
【０００２】
近年、カラー画像の記録（具体的にはインクジェット記録、感熱転写記録、電子写真記録、転写式ハロゲン化銀感光記録、印刷、記録ペン等）において、色素が盛んに利用されている。また、撮影機器におけるＣＣＤ等の撮像素子；ＬＣＤ（液晶ディスプレイ）やＰＤＰ（プラズマディスプレイパネル）等のディスプレイ；等において、フルカラーの画像を記録・再現するためのカラーフィルターにも色素が使用されている。
フルカラーの画像を記録・再現する方法としては、加法混色法や減法混色法等が知られており、染料や顔料の中から３原色の色素が選択されて使用されている。しかしながら、目的とする色再現域を表現できる光学特性を有し、且つ様々な使用及び環境等の条件において十分な堅牢性を有する色素はしられていない。このため、色素そのものの改善が依然として強く望まれている。
【０００３】
インクジェット記録に用いるインクの１つとして、水溶性染料を水性媒体に溶解した水性インクが挙げられる。水性インクの性能としては、十分な濃度の記録画像を与えること；吐出ノズルの目詰まりを生じないこと；被記録材上での乾燥性がよいこと；滲みが少ないこと；保存安定性に優れること；等が要求される。
また、コンピューターのカラーディスプレイ上に表現されるフルカラーの画像又は文字情報をインクジェット記録するときは、できるだけ忠実な色調で、被記録材に記録できることが望ましい。その目的で、インクジェット記録に用いるイエロー（Ｙ）、マゼンタ（Ｍ）、シアン（Ｃ）の３原色それぞれのインクは、できるだけそれぞれの標準に近い色相を有し且つ鮮明であることが望まれる。
さらに、インクジェット記録により得られる画像には、耐水性、耐湿性、耐光性及び耐ガス性（ＳＯｘ、ＮＯｘ、及び特にオゾンガス等の活性ガスが挙げられる）等の画像の堅牢性が求められている。
【０００４】
鮮明性及び耐光性の優れるマゼンタ色素としてはアントラピリドン系色素があるが、色相、鮮明性、耐光性、耐水性、耐ガス性及び溶液安定性のすべてを満足させるものは得られていない。
特許文献１〜４には、２分子のアントラピリドン化合物をエチレンジアミノ基等の架橋基により架橋した構造を有する化合物、及び該化合物を含有するインク組成物が開示されている。
【先行技術文献】
【特許文献】
【０００５】
【特許文献１】特開２００３−１９２９３０号公報
【特許文献２】国際公開２００６／０７５７０６号パンフレット
【特許文献３】国際公開２００８／０６６０６２号パンフレット
【特許文献４】特開２０１０−６９６９号公報
【特許文献５】特開２０１０−２５４８６１号公報
【発明の開示】
【発明が解決しようとする課題】
【０００６】
本発明は、耐光性に優れ、特にインクジェット記録に好適な色素、該色素を含有するインク組成物、該インク組成物を用いる記録方法、及び、該色素又はインク組成物により着色された着色体の提供を目的とする。
【課題を解決するための手段】
【０００７】
本発明者等は上記課題を解決すべく鋭意検討の結果、下記式（１）で表わされる特定の色素又はその塩、若しくはそれらの混合物を色素として用いることにより、上記課題を解決できることを見出し、本発明を完成させた。
即ち本発明は、以下の[１]〜[１５]に関する。
[１]
下記式（１）で表される色素又はその塩、若しくはそれらの混合物。
【０００８】
【化１】
2014172912.tif 000002
【０００９】
（式（１）中、Ｒはイオン性親水性基を有してもよいアルキル基、アリールアルキル基、又はアリール基を表す。）
［２］
上記式（１）におけるＲが、アルキル基又はアリール基である上記［１］に記載の色素又はその塩、若しくはそれらの混合物。
［３］
上記式（１）におけるＲが、少なくとも1つのイオン性親水性基を有するアルキル基又はアリール基である上記［２］に記載の色素又はその塩、若しくはそれらの混合物。
［４］
上記［１］乃至［３］のいずれか一項に記載の式（１）で表わされる色素又はその塩、若しくはそれらの混合物、及び水を含有するインク組成物。
［５］
水溶性有機溶剤をさらに含有する上記［４］に記載のインク組成物。
［６］
上記式（１）で表わされる色素又はその塩、若しくはそれらの混合物の総質量中に含有される無機不純物の含有量が、該色素又はその塩、若しくはそれらの混合物の総質量に対して、１質量％以下である上記［４］又は［５］に記載のインク組成物。
［７］
上記式（１）で表わされる色素又はその塩、若しくはそれらの混合物の含有量が、インク組成物の総質量に対して０．１〜２０質量％である［４］乃至［６］のいずれか一項に記載のインク組成物。
［８］
インクジェット記録に用いる上記［４］乃至［７］のいずれか一項に記載のインク組成物。
［９］
上記［８］に記載のインク組成物の液滴を記録信号に応じて吐出させ、被記録材に付着させることにより記録を行うインクジェット記録方法。
［１０］
被記録材が情報伝達用シートである上記［９］に記載のインクジェット記録方法。
［１１］
情報伝達用シートが普通紙であるか、又は多孔性白色無機物を含有したインク受容層を有するシートである、上記［１０］に記載のインクジェット記録方法。
［１２］
上記［１］乃至［３］のいずれか一項に記載の色素又はその塩、若しくはそれらの混合物により着色された着色体。
［１３］
上記［４］乃至［８］のいずれか一項に記載のインク組成物により着色された着色体。
［１４］
上記［９］乃至［１１］のいずれか一項に記載のインクジェット記録方法により着色された着色体。
［１５］
上記［８］に記載のインク組成物を含有する容器が装填されたインクジェットプリンタ。
【発明の効果】
【００１０】
本発明により、耐光性に優れ、特にインクジェット記録に好適な色素、これを含有するインク組成物、該インク組成物を用いる記録方法、及び該色素又はインク組成物により着色された着色体を提供できた。
【発明を実施するための形態】
【００１１】
本発明を詳細に説明する。
本明細書においては煩雑さを避けるため、以下においては特に断りがない限り、式（１）で表わされる「色素又はその塩、若しくはそれらの混合物」の全てを含めて、式（１）で表わされる「色素」と簡略化して記載し、それらの全てを含めた意味を有するものとする。
また、特に断りのない限り「％」及び「部」数は、実施例も含めていずれも質量基準で記載する。
【００１２】
本発明の色素は、上記式（１）で表される。
【００１３】
式（１）中、Ｒは置換基として、イオン性親水性基を有しても良い。イオン性親水性基としては、スルホ基、カルボキシ基、ホスホ基［−Ｐ（Ｏ）（ＯＨ）2基］、及び４級アンモニウム基よりなる群から選択される基が挙げられる。これらの中ではスルホ基、及び／又はカルボキシ基が好ましい。
該イオン性親水性基の数は、通常０〜６つ、好ましくは０〜４つ、より好ましくは０〜３つ、さらに好ましくは０〜２つ、特に好ましくは１つ又は２つである。
【００１４】
Ｒにおけるアルキル基としては、直鎖、分岐鎖又は環状のアルキル基が挙げられ、その炭素数の範囲は通常Ｃ１−Ｃ１０、好ましくはＣ１−Ｃ８、より好ましくはＣ１−Ｃ６、さらに好ましくはＣ１−Ｃ４、特に好ましくはＣ１−Ｃ３である。その具体例としては、メチル、エチル、ｎ−プロピル、ｎ−ブチル、ｎ−ペンチル、ｎ−ヘキシル、ｎ−ヘプチル、ｎ−オクチル、ｎ−ノニル、ｎ−デシルといった直鎖のもの；イソプロピル、イソブチル、ｓｅｃ−ブチル、ｔ−ブチル、イソアミル、ｔ−アミル、イソヘキシル、ｔ−ヘキシル、イソヘプチル、ｔ−ヘプチル、イソオクチル、ｔ−オクチル、２−エチルヘキシル、イソノニル、イソデシル等の分岐鎖（好ましくはＣ３−Ｃ１０）のもの；シクロプロピル、シクロブチル、シクロペンチル、シクロヘキシル、シクロヘプチル等の環状（好ましくはＣ３−Ｃ７）のもの；等が挙げられる。
アルキル基としては、直鎖又は分岐鎖のものが好ましく、直鎖のものがより好ましい。
【００１５】
Ｒにおけるアリールアルキル基としては、通常Ｃ６−Ｃ１２アリールＣ１−Ｃ１０アルキル基、好ましくはフェニルＣ１−Ｃ６アルキル基、より好ましくはフェニルＣ１−Ｃ４アルキル基等が挙げられる。その具体例としては、フェニルメチル、２−フェニルエチル、３−フェニルプロピル、４−フェニルブチル、５−フェニルペンチル、５−フェニルヘキシル等のアルキル部分が直鎖のもの；α−メチルベンジル等のアルキル部分が分岐鎖のもの；等が挙げられる。
【００１６】
Ｒにおけるアリール基としては、通常Ｃ６−Ｃ１２アリール基、好ましくはフェニル基、ナフチル基、又はビフェニル基、より好ましくはフェニル基又はナフチル基、さらに好ましくはフェニル基等が挙げられる。
【００１７】
上記のうち、Ｒとしては、アルキル基又はアリール基が好ましく、少なくとも1つのイオン性親水性基を有するアルキル基又はアリール基がより好ましい。
【００１８】
上記のうち、好ましいもの同士を組み合わせた色素はより好ましく、より好ましいもの同士を組み合わせた色素はさらに好ましい。好ましいものとより好ましいもの、より好ましいものとさらに好ましいもの等の組み合わせについても同様である。
【００１９】
上記式（１）で表される色素の塩は、無機又は有機陽イオンと形成する塩を意味する。無機陽イオンと形成する塩としては、アルカリ金属、例えばリチウム、ナトリウム、カリウムの各陽イオン；又は、アンモニウム（ＮＨ４＋）；と形成する塩等が好ましく挙げられる。
有機陽イオンと形成する塩としては、下記式（２）で表される有機アンモニウムと形成する塩等が好ましく挙げられる。
【００２０】
【化２】
2014172912.tif 000003
【００２１】
式（２）中、Ｚ1乃至Ｚ4はそれぞれ独立に水素原子、アルキル基、ヒドロキシアルキル基又はヒドロキシアルコキシアルキル基を表わし、Ｚ1乃至Ｚ4の少なくともいずれか１つは水素原子以外の基である。
【００２２】
式（２）中、Ｚ1乃至Ｚ4における具体例としては、メチル、エチル、プロピル、ブチル、ペンチル、ヘキシル等のＣ１−Ｃ６アルキル基（好ましくはＣ１−Ｃ４アルキル基）；ヒドロキシメチル、２−ヒドロキシエチル、３−ヒドロキシプロピル、２−ヒドロキシプロピル、４−ヒドロキシブチル、３−ヒドロキシブチル、２−ヒドロキシブチル等のヒドロキシＣ１−Ｃ６アルキル基（好ましくはヒドロキシＣ１−Ｃ４アルキル基）；ヒドロキシエトキシメチル、２−ヒドロキシエトキシエチル、３−ヒドロキシエトキシプロピル、３−ヒドロキシエトキシブチル、２−ヒドロキシエトキシブチル等のヒドロキシＣ１−Ｃ６アルコキシＣ１−Ｃ６アルキル基（好ましくはヒドロキシＣ１−Ｃ４アルコキシＣ１−Ｃ４アルキル基）；等が挙げられる。
【００２３】
これらのうち、好ましい具体例としては、ナトリウム、カリウム、リチウム、モノエタノールアミン、ジエタノールアミン、トリエタノールアミン、モノイソプロパノールアミン、ジイソプロパノールアミン、トリイソプロパノールアミン、アンモニウム等の各陽イオンと形成する塩が挙げられる。これらの中で特に好ましいものとしては、リチウム、アンモニウム及びナトリウムの各塩が挙げられる。
【００２４】
式（１）で表される色素の塩は、単一の塩；複数種類の混塩；又は、遊離酸と塩との混合物；等のいずれであってもよい。式（１）で表される色素は、その塩の種類により溶解性等の物理的な性質；又は、該化合物を含有するインクの性能、特に堅牢性に関する性能；等が変化することもある。このため目的とするインクの性能等に応じて、塩の種類を選択することも好ましく行われる。
遊離酸から各種の塩を造塩する方法；各種の塩から遊離酸を得る方法；特定の塩から他の塩へ塩を交換する方法；等については、いずれも当業者であれば周知の方法が使用できる。
【００２５】
上記式（１）で表される色素の具体例を下記表１及び表２に示すが、本発明はこれらの具体例に限定されるものではない。
Ｒは式（１）におけるＲに対応する。表中の＊は、式（１）において「ＳＲ」で表される基の硫黄原子との結合部を意味する。
【００２６】
【表１】
2014172912.tif 000004
【００２７】
以下に式（１）で表される色素の製造方法を記載する。なお下記式（３）中に記載のＲは、上記式（１）におけるのと同じ意味を表す。
なお、製造方法中に記載の化合物のモル数等については代表的な例であり、当業者であれば必要に応じて適宜増減が可能なことを理解できる。
【００２８】
特許文献４に記載の方法で合成した下記式（４）の化合物１モルに、下記式（３）の化合物２〜１０モルを、水中、ｐH２〜１０、１０〜９０℃の条件下で１〜２０時間反応させ、目的とする上記式（１）で表される色素を得ることができる。
【００２９】
【化４】
2014172912.tif 000005
【００３０】
【化３】
2014172912.tif 000006
【００３１】
上記式（１）で表される色素は、その総質量中に不純物として含有する金属陽イオンの塩化物（例えば塩化ナトリウム等）及び硫酸塩（例えば硫酸ナトリウム等）等の、無機不純物の少ないものを用いるのが好ましい。その目安としては、例えば、式（１）で表される色素の総質量に対して、無機不純物の含有量は１％以下程度である。無機不純物の少ない色素を製造する方法としては、例えば逆浸透膜を用いる公知の方法；Ｃ１−Ｃ４アルコール（又は場合により含水の該アルコール）等に懸濁させて精製する方法；又は、陰及び陽イオン交換樹脂を適宜用いる公知の方法；等により脱塩処理する方法が挙げられる。
【００３２】
上記のインク組成物は、上記式（１）で表される色素を色素として含有し、該色素を水又は水性溶媒（後記する水溶性有機溶剤を含有する水）に溶解したものである。
上記インク組成物は、式（１）で表される色素を通常０．１〜２０％、好ましくは１〜１５％、さらに好ましくは２〜１０％含有する。
また、上記インク組成物は色素と水以外の成分として、水溶性有機溶剤を０〜３０％、好ましくは５〜２０％；及び、インク調製剤を０〜１０％；それぞれ含有してもよい。水溶性有機溶剤は色素の溶解、インク組成物の乾燥の防止、粘度の調整、被記録材への浸透の促進、表面張力の調整、消泡等の効果を有することもあるため、インク組成物中には含有する方が好ましい。
【００３３】
上記インク組成物は、例えばインク組成物の色相や印字濃度等を望みのものに微調整する目的等により、複数の式（１）で表わされる色素を含有してもよい。また、本発明により得られる効果を阻害しない範囲において、公知の他の色素を含有しても良い。
【００３４】
上記水溶性有機溶剤としては、例えば、メタノール、エタノール、ｎ−プロパノール、イソプロパノール、ｎ−ブタノール、イソブタノール、第二ブタノール、第三ブタノール等のＣ１−Ｃ４アルカノール（アルコール）；Ｎ，Ｎ−ジメチルホルムアミド又はＮ，Ｎ−ジメチルアセトアミド等のカルボン酸アミド；２−ピロリドン、Ｎ−メチル−２−ピロリドン、１，３−ジメチルイミダゾリジン−２−オン又は１，３−ジメチルヘキサヒドロピリミド−２−オン等の複素環式尿素類；アセトン、メチルエチルケトン、２−メチル−２−ヒドロキシペンタン−４−オン等のケトン又はケトアルコール；テトラヒドロフラン、ジオキサン等の環状エーテル；エチレングリコール、１，２−又は１，３−プロピレングリコール、１，２−又は１，４−ブチレングリコール、１，６−ヘキシレングリコール、ジエチレングリコール、トリエチレングリコール、テトラエチレングリコール、ジプロピレングリコール、チオジグリコール、ポリエチレングリコール、ポリプロピレングリコール等のＣ２−Ｃ６アルキレン単位を有するモノ、オリゴ又はポリアルキレングリコール又はチオグリコール；グリセリン、ヘキサン−１，２，６−トリオール等のポリオール（トリオール）；エチレングリコールモノメチルエーテル又はエチレングリコールモノエチルエーテル、ジエチレングリコールモノメチルエーテル、ジエチレングリコールモノエチルエーテル、ジエチレングリコールモノブチルエーテル、トリエチレングリコールモノメチルエーテル又はトリエチレングリコールモノエチルエーテル等の多価アルコールのＣ１−Ｃ４アルキルエーテル；γ−ブチロラクトン；又はジメチルスルホキシド；等が挙げられる。
【００３５】
上記のうち好ましいものとしては、イソプロパノール、グリセリン、モノ、ジ又はトリエチレングリコール、ジプロピレングリコール、２−ピロリドン、Ｎ−メチル−２−ピロリドン、ジエチレングリコールモノブチルエーテルが挙げられ、より好ましくはイソプロパノール、グリセリン、ジエチレングリコールモノブチルエーテル（ブチルカルビトール）、２−ピロリドン、Ｎ−メチル−２−ピロリドンが挙げられる。
これらの水溶性有機溶剤は、単独で使用しても混合しても良い。
【００３６】
上記インク調製剤としては、例えば、防腐防黴剤、ｐＨ調整剤、キレート試薬、防錆剤、水溶性紫外線吸収剤、水溶性高分子化合物、染料溶解剤及び界面活性剤等が挙げられる。
【００３７】
防腐防黴剤としては、例えば、有機硫黄系、有機窒素硫黄系、有機ハロゲン系、ハロアリールスルホン系、ヨードプロパギル系、Ｎ−ハロアルキルチオ系、ニトリル系、ピリジン系、８−オキシキノリン系、ベンゾチアゾール系、イソチアゾリン系、ジチオール系、ピリジンオキシド系、ニトロプロパン系、有機スズ系、フェノール系、第４アンモニウム塩系、トリアジン系、チアジアジン系、アニリド系、アダマンタン系、ジチオカーバメイト系、ブロム化インダノン系、ベンジルブロムアセテート系等の化合物が挙げられる。
有機ハロゲン系化合物としては、例えばペンタクロロフェノールナトリウムが挙げられる。
ピリジンオキシド系化合物としては、例えば２−ピリジンチオール−１−オキシドナトリウムが挙げられる。
イソチアゾリン系化合物としては、例えば１，２−ベンゾイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。
その他の防腐防黴剤としてはソルビン酸ナトリウム、安息香酸ナトリウム、無水酢酸ナトリウム、及びアベシア社製、商品名：プロクセルTMＧＸＬ（Ｓ）、プロクセルTMＸＬ−２（Ｓ）等が挙げられる。
なお、本明細書において上付きの「ＴＭ」は商標を意味する。
【００３８】
ｐＨ調整剤としては、調製されるインクに悪影響を及ぼさずに、インクのｐＨを７．５〜１１．０の範囲に制御できるものであれば任意の物質を使用することができる。例えば、ジエタノールアミン、トリエタノールアミン等のアルカノールアミン；水酸化リチウム、水酸化ナトリウム、水酸化カリウム等のアルカリ金属の水酸化物；水酸化アンモニウム（アンモニア水）；あるいは炭酸リチウム、炭酸ナトリウム、炭酸カリウム等のアルカリ金属の炭酸塩；等が挙げられる。
【００３９】
キレート試薬としては、例えばエチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラシル二酢酸ナトリウム等が挙げられる。
【００４０】
防錆剤としては、例えば、酸性亜硫酸塩、チオ硫酸ナトリウム、チオグリコール酸アンモニウム、ジイソプロピルアンモニウムナイトライト、四硝酸ペンタエリスリトール、ジシクロヘキシルアンモニウムナイトライト等が挙げられる。
【００４１】
水溶性紫外線吸収剤としては、例えばスルホ化されたベンゾフェノン、スルホ化されたベンゾトリアゾール等が挙げられる。
【００４２】
水溶性高分子化合物としては、例えばポリビニルアルコール、セルロース誘導体、ポリアミン、ポリイミン等が挙げられる。
【００４３】
染料溶解剤としては、例えば尿素、ε−カプロラクタム、エチレンカーボネート等が挙げられる。
【００４４】
界面活性剤としては、例えばアニオン界面活性剤、両性界面活性剤、カチオン界面活性剤、ノニオン界面活性剤等が挙げられる。
【００４５】
アニオン界面活性剤としてはアルキルスルホカルボン酸塩、α−オレフィンスルホン酸塩、ポリオキシエチレンアルキルエーテル酢酸塩、Ｎ−アシルアミノ酸及びその塩、Ｎ−アシルメチルタウリン塩、アルキル硫酸塩ポリオキシアルキルエーテル硫酸塩、アルキル硫酸塩ポリオキシエチレンアルキルエーテル燐酸塩、ロジン酸石鹸、ヒマシ油硫酸エステル塩、ラウリルアルコール硫酸エステル塩、アルキルフェノール型燐酸エステル、アルキル型燐酸エステル、アルキルアリールスルホン酸塩、ジエチルスルホ琥珀酸塩、ジエチルヘキルシルスルホ琥珀酸、ジオクチルスルホ琥珀酸塩等が挙げられる。
【００４６】
カチオン界面活性剤としては２−ビニルピリジン誘導体、ポリ４−ビニルピリジン誘導体等が挙げられる。
【００４７】
両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシン、その他としてイミダゾリン誘導体等が挙げられる。
【００４８】
ノニオン界面活性剤としては、ポリオキシエチレンノニルフェニルエーテル、ポリオキシエチレンオクチルフェニルエーテル、ポリオキシエチレンドデシルフェニルエーテル、ポリオキシエチレンオレイルエーテル、ポリオキシエチレンラウリルエーテル、ポリオキシエチレンアルキルエーテル等のエーテル系；ポリオキシエチレンオレイン酸エステル、ポリオキシエチレンジステアリン酸エステル、ソルビタンラウレート、ソルビタンモノステアレート、ソルビタンモノオレエート、ソルビタンセスキオレエート、ポリオキシエチレンモノオレエート、ポリオキシエチレンステアレート等のエステル系；２，４，７，９−テトラメチル−５−デシン−４，７−ジオール、３，６−ジメチル−４−オクチン−３，６−ジオール、３，５−ジメチル−１−ヘキシン−３−オール等のアセチレンアルコール系；他の具体例として、日信化学社製、商品名サーフィノールTM１０４Ｅ、同１０４ＰＧ５０、同８２、同４６５、商品名オルフィンTMＳＴＧ等；等が挙げられる。
これらのインク調製剤は、単独で使用しても混合しても良い。
【００４９】
上記インク組成物の製造において、インク組成物に含有する各成分を溶解させる順序には特に制限はない。色素を水又は水性溶媒に溶解させた後、インク調製剤を添加してもよいし、色素を水に溶解させた後、水溶性有機溶剤、インク調製剤を添加してもよい。またこれと順序が異なっていてもよい。
インク組成物に含有する色素としては、例えば、式（１）で表される色素の合成工程における、最終工程終了後の反応液等から晶析；又はスプレー乾燥；等の操作により色素を単離し、これを乾燥等させたものを使用することができる。
また、該最終工程終了後の反応液；又は、該色素を含有する水溶液に対して逆浸透膜による脱塩処理を行うことにより得られた水溶液；等の色素を含有する液に、水溶性有機溶剤、インク調製剤等を添加してインク組成物を製造してもよい。
インク組成物の調製に用いる水は、イオン交換水又は蒸留水等の不純物の少ないものが好ましい。このようにして調製されたインク組成物は、必要に応じてメンブランフィルター等を用いた精密濾過を行って夾雑物を除いてもよい。インク組成物をインクジェット記録に用いるときは、精密濾過を行うことが好ましい。精密濾過を行うフィルターの孔径は通常１μｍ〜０．１μｍ、好ましくは０．８μｍ〜０．１μｍである。
【００５０】
上記のインクジェット記録方法は、上記のインク組成物を含有する容器をインクジェットプリンタの所定の位置に装填し、該インク組成物の（小）液滴を記録信号に応じて吐出させて被記録材に付着させ、記録を行う方法である。
上記インクジェット記録方法は、式（１）で表わされる色素を含有するインク組成物をその色相に応じてマゼンタ〜バイオレット、好ましくはマゼンタのインクとして単独又はインクセットとして使用することができる。
一方、フルカラーの記録画像を得る目的で、式（１）で表わされる色素を含有するインク組成物の他に、例えば公知のイエロー、シアンと共に３原色のインクセット、又はこれにグリーン、オレンジ、レッド、バイオレット、ブルー及びブラック等の各色を加えたインク組成物とのインクセットとしても良い。この際には、上記の各色から適宜選択されるインク組成物をそれぞれ含有する容器を、インクジェットプリンタの所定の位置にそれぞれ装填して使用すればよい。
【００５１】
インクジェットプリンタの吐出方式としては、例えば機械的振動を利用したピエゾ方式；加熱により生じる泡を利用したバブルジェット（登録商標）方式；等が挙げられる。上記のインク組成物は、これらの方式を含めたいずれの吐出方式においても使用することが可能である。
【００５２】
上記被記録材としては、例えば、紙、フィルム等の情報伝達用シート、繊維や布（セルロース、ナイロン、羊毛等）、皮革、及びカラーフィルター用基材等が挙げられる。
情報伝達用シートとしては表面処理されたもの、具体的には基材（例えば上記の被記録材）にインク受容層を設けたもの等が好ましい。インク受容層は、例えば基材にカチオンポリマーを含浸あるいは塗工すること；多孔質シリカ、アルミナゾルや特殊セラミックス等、インク中の色素を吸着し得る多孔性白色無機物を、ポリビニルアルコールやポリビニールピロリドン等の親水性ポリマーと共に基材表面に塗工すること；等により設けられる。このようなインク受容層を設けたものは、通常インクジェット専用紙（フィルム）や光沢紙（フィルム）等と呼ばれる。市販品としては例えば、（株）ピクトリコ製、商品名ピクトリコTMプロ；キヤノン社製、商品名プロフェッショナルフォトペーパー、スーパーフォトペーパー、マットフォトペーパー；エプソン（株）製、商品名クリスピアTM、写真用紙（光沢）、フォトマット紙、スーパーファイン専用光沢フィルム；日本ヒューレット・パッカード(株)製、商品名アドバンスフォトペーパー、プレミアムプラスフォト用紙、プレミアム光沢フィルム、フォト用紙；コニカミノルタフォトイメージング（株）製、商品名フォトライクＱＰ；等が挙げられる。
なお、インク受容層を特に設けていない情報伝達用シート、例えばＰＰＣ（プレインペーパーコピー）用紙等の普通紙も、被記録材として当然使用できる。
【００５３】
上記多孔性白色無機物としては、炭酸カルシウム、カオリン、タルク、クレー、珪藻土、合成非晶質シリカ、珪酸アルミニウム、珪酸マグネシウム、珪酸カルシウム、水酸化アルミニウム、アルミナ、リトポン、ゼオライト、硫酸バリウム、硫酸カルシウム、二酸化チタン、硫化亜鉛、炭酸亜鉛等が挙げられる。
【００５４】
上記の着色体とは、上記の色素又は該色素を含有するインク組成物により着色された物質を意味する。着色される物質には特に制限はない。一例としては、例えば上記の被記録材；感熱記録材料におけるインクシート及びこのインクシートにより着色された被記録材；電子写真用のカラートナー及びこれにより着色された被記録材；ＬＣＤ、ＰＤＰ等のディスプレイやＣＣＤ等の撮像素子の製造に用いられる着色硬化性樹脂組成物、及びこの樹脂組成物を用いて製造されたカラーフィルター；等が挙げられるが、着色することができる物質であればこれらに限定されない。
着色方法としては、例えば浸染、捺染、スクリーン印刷、インクジェット記録、感熱記録、電子写真記録等が挙げられる。上記の着色体としては、上記のインクジェット記録方法により着色された着色体が好ましい。
【００５５】
上記のインク組成物は鮮明な色相であり、特に光沢紙において鮮明性の高い色相を有し、記録画像の堅牢性も高い。又、人に対する安全性も高い。
【００５６】
上記式（１）で表される色素は、発色性が良く色再現性に優れた吸収特性を有し、且つ光、熱、湿度、及び環境中の活性ガスに対して充分な堅牢性を有する。その用途としては、例えばインクジェット等の印刷用のインク、感熱記録材料におけるインクシート、電子写真用のカラートナー、ＬＣＤ、ＰＤＰ等のディスプレイやＣＣＤ等の撮像素子で用いられるカラーフィルター、各種繊維用の染色のための染色液や樹脂着色のため等の各種着色組成物等が挙げられる。
上記式（１）で表わされる色素を含有するインク組成物は、例えば印捺、複写、マーキング、筆記、製図、スタンピング等の各種の記録や印刷用途に用いることが可能であり、特にインクジェット記録用インクとして好適に用いられる。このインク組成物を用いてインクジェット専用紙や光沢紙に記録した画像は印字濃度が高く、耐水性、耐光性、耐オゾン性、耐摩擦性、及び耐湿性等の各種堅牢性に優れ、インクジェット記録に適した色相を有する。
上記式（１）で表わされる色素を含有するインク組成物は、その貯蔵中に沈殿、分離することがなく、保存安定性が極めて高い。また、式（１）で表わされる色素は水溶解性に優れるため、これを含有する水性インク組成物をインクジェット記録に使用した場合、ノズル付近におけるインク組成物の乾燥による、固体析出は非常に起こりにくく、噴射器（インクヘッド）を閉塞することもない。さらに、該インク組成物は、連続式インクジェットプリンタにおける比較的長時間の一定の再循環下での使用；又は、オンデマンド式インクジェットプリンタにおける断続的な使用；等の使用環境においても物理的性質の変化を起こさない。
【実施例】
【００５７】
以下に本発明を実施例によりさらに具体的に説明する。各反応及び晶析等の操作は、特に断りのない限り攪拌下に行った。
実施例中、最大吸収波長（λｍａｘ）の測定は以下のように行った。すなわち、ｐＨ５〜８の色素の水溶液における、紫外可視分光光度計ＵＶ−２５５０（島津製作所社製）での測定値を記載した。
また、一回の合成反応で目的化合物の必要量が得られなかったときは、必要量が得られるまで同じ合成反応を繰り返し行った。
【００５８】
［実施例１］
下記式（４）で表される化合物２５部を含む水１７０部に、チオサリチル酸６．７部を加え、２５％水酸化ナトリウム水溶液を用いてｐH９に保持しながら、液温を６０℃へ昇温し３時間反応させた。反応液に水を加え、液量を２３０部とし、塩化ナトリウム２３部を加え１５分間撹拌した。３５％塩酸を加えｐH４に調整した後、1時間撹拌し、析出した固体を濾過分離、乾燥する事により、下記式（５）で表される、本発明の色素１７部（λｍａｘ：５２１ｎｍ）を紫色粉末として得た。
【００５９】
【化４】
2014172912.tif 000007
【００６０】
【化５】
2014172912.tif 000008
【００６１】
［実施例２］
実施例１で使用したチオサリチル酸６．７部を、メルカプトコハク酸７部に代える以外は実施例１と同様にして、下記式（６）で表される本発明の色素の紫色粉末１２部（λｍａｘ：５１６ｎｍ）を得た。
【００６２】
【化６】
2014172912.tif 000009
【００６３】
［実施例３］
実施例１で使用したチオサリチル酸６．７部を、チオグリコール酸７部に代える以外は実施例１と同様にして、下記式（７）で表される本発明の色素の紫色粉末９部（λｍａｘ：５１５ｎｍ）を得た。
【００６４】
【化７】
2014172912.tif 000010
【００６５】
［実施例４］
実施例１で使用したチオサリチル酸６．７部を、３−メルカプトプロピオン酸８部に代える以外は実施例１と同様にして、下記式（８）で表される本発明の色素の紫色粉末１２部（λｍａｘ：５１２ｎｍ）を得た。
【００６６】
【化８】
2014172912.tif 000011
【００６７】
［実施例５］
実施例１で使用したチオサリチル酸６．７部を、２−メルカプトスルホン酸ナトリウム７部に代える以外は実施例１と同様にして、下記式（９）で表される本発明の色素の紫色粉末１２部（λｍａｘ：５１１ｎｍ）を得た。
【００６８】
【化９】
2014172912.tif 000012
【００６９】
［実施例６］
実施例１で使用したチオサリチル酸６．７部を、２−ナフタレンチオール１２部に代える以外は実施例１と同様にして、下記式（１０）で表される本発明の色素の紫色粉末１２部（λｍａｘ：５３６ｎｍ）を得た。
【００７０】
【化１０】
2014172912.tif 000013
【００７１】
［実施例７］
実施例１で使用したチオサリチル酸６．７部を、４−メルカプト安息香酸８部に代える以外は実施例１と同様にして、下記式（１０）で表される本発明の色素の紫色粉末１１部（λｍａｘ：５１４ｎｍ）を得た。
【００７２】
【化１１】
2014172912.tif 000014
【００７３】
［実施例８］
［（Ａ）インク組成物の調製］
実施例１で得られた式（５）で表される色素を色素として用い、下記表２に示す各成分を混合溶解して溶液の水性インク組成物を調製した。得られたインク組成物を０．４５μｍのメンブランフィルターで濾過する事により夾雑物を除き、評価試験用のインクジェットインク組成物を得た。インク組成物の調製に用いた水はイオン交換水であり、インク組成物のｐＨがおよそ９．０となるように２５％水酸化ナトリウム水溶液で調整後、総量が１００部になるように水を加えた。このインク組成物の調製を実施例８とする。
なお、下記表２中、「サーフィノール１０４ＰＧ５０」は商品名であり、日信化学社製のアセチレングリコール系ノニオン界面活性剤である。
【００７４】
【表２】
2014172912.tif 000015
【００７５】
［実施例９〜１２］
上記実施例８において使用した式（５）で表される色素の代わりに、実施例２乃至５で得た式（６）乃至（９）で表される色素をそれぞれ用いる以外は実施例８と同様にして、溶液の水性インク組成物を調製した。これらのインク組成物の調製を、それぞれ実施例９乃至１２とする。
【００７６】
［比較例１］
上記式（５）で表される色素の代わりに、下記式（１２）の化合物を比較用の色素として用いる以外は実施例５と同様にして、比較用の水性インクジェットインク組成物を調製した。このインクの調製を比較例１とする。
なお、式（１２）の化合物は特許文献４記載の方法で合成した。
【００７７】
【化１２】
2014172912.tif 000016
【００７８】
［（Ｂ）インクジェット記録］
実施例８〜１２及び比較例１で調製した各インク組成物を、インクジェットプリンタ（キヤノン社製  商品名：ＰＩＸＵＳTMｉｐ４５００）を用いて下記４種類の光沢紙にインクジェット記録を行うことにより記録物を得た。インクジェット記録の際、反射濃度が数段階の階調で得られるように画像パターンを作り、グラデーションを有する記録物を得た。得られた記録物を試験片とし、各種の試験を行なった。
光沢紙１：
キヤノン株式会社製、商品名：キヤノン写真用紙・プラチナグレード。
光沢紙２：
キヤノン株式会社製、商品名：キヤノン写真用紙・光沢ゴールド。
光沢紙３：
セイコーエプソン株式会社製、商品名：写真用紙クリスピア（高光沢）。
光沢紙４：
ブラザー株式会社製、商品名：写真用紙（ＢＰ７１Ｇ）。
【００７９】
以下の評価試験において、反射濃度の測定には測色システム（商品名ＳｐｅｃｔｒｏＥｙｅTM、Ｘ−ｒｉｇｈｔ社製）を使用した。測色は、濃度基準にＤＩＮ、測定波長５１０ｎｍ〜５５０ｎｍ、視野角２度、光源Ｄ５０の条件で行った。
【００８０】
［（Ｃ）キセノン耐光性試験］
スガ試験機（株）社製の低温キセノンウエザーメータ（ＸＬ７５）を用いて、キセノン光を１０万Luxの照度で、湿度６０％ＲＨ、温度２４℃の条件下、各試験片に対して７２時間照射した。試験前のＤ値が１．２付近の諧調部分について、試験後のＤ値を測定し、各試験片の色素の残存率を（試験後の反射濃度）／（試験前の反射濃度）×１００（％）として算出した。結果を下記表３に示す。
【００８１】
【表３】
2014172912.tif 000017
【００８２】
表３の結果からキセノン耐光性試験において、いずれの光沢紙においても実施例８〜１２は比較例１より極めて優れる結果を示した
【００８３】
本発明の上記式（１）で表わされる色素、及びこれを含有するインク組成物により記録された画像は耐光性に極めて優れるため、各種の用途、特にインクジェット記録用として非常に有用である。